(57)【要約】【課題】断熱材の部品数を少なくして、組立の手間やコストを低減できる断熱構造を提供する。【解決手段】断熱本体部（１０）の切欠部（３１，３２）は、径方向に貫通していない。これにより、貯湯タンク（１２１）の熱が外部に漏れない。したがって、切欠部（３１，３２）を塞ぐための別パーツの断熱材は不要であり、断熱材の部品数を少なくできる。【選択図】図４
2014062705.tif 000002
【特許請求の範囲】
【請求項１】
温水が貯留される貯湯タンク（１２１）の周囲に配置される断熱構造であって、
径方向に貫通しないで取付金具挿入方向に開口する切欠部（３１，３２）を有する断熱本体部（１０）と、
上記断熱本体部（１０）の上記切欠部（３１，３２）に挿入されてこの切欠部（３１，３２）に対して径方向に係止する係止面（２１２ａ）と、上記断熱本体部（１０）の周囲に配置される被固定部材（３，４）を固定するための固定面（２１０ａ）とを有する取付金具（２１，２２）と
を備えることを特徴とする断熱構造。
【請求項２】
請求項１に記載の断熱構造において、
上記取付金具（２１，２２）は、上記断熱本体部（１０）の上記切欠部（３１，３２）に挿入された状態で、上記切欠部（３１，３２）への挿入方向に直交する断面において、鍔付き略コ字状であって、底部（２１０）と、この底部（２１０）の両端のそれぞれから立ち上がる壁部（２１１）と、この壁部（２１１）の端部から延在する外鍔部（２１２）とを有し、
上記底部（２１０）は、上記固定面（２１０ａ）を含み、上記外鍔部（２１２）は、上記係止面（２１２ａ）を含むことを特徴とする断熱構造。
【請求項３】
請求項２に記載の断熱構造において、
上記取付金具（２１，２２）は、上記断熱本体部（１０）の上記切欠部（３１，３２）に挿入された状態で、この切欠部（３１，３２）の開口端面に対向するリブ部（２１３）を有することを特徴とする断熱構造。
【請求項４】
請求項２または３に記載の断熱構造において、
上記取付金具（２１，２２）は、上記断熱本体部（１０）の上記切欠部（３１，３２）に挿入された状態で、上記切欠部（３１，３２）への挿入方向に交差する押圧面（２１４ａ）を有することを特徴とする断熱構造。
【請求項５】
請求項２から４の何れか一つに記載の断熱構造において、
上記取付金具（２１，２２）は、上記外鍔部（２１２）の端部から内側に折り返されて形成される折返し部（２１５）を有することを特徴とする断熱構造。
【請求項６】
請求項１から５の何れか一つに記載の断熱構造において、
第１の上記切欠部（３１）と第２の上記切欠部（３２）とは、反対方向に開口し、
第１の上記取付金具（２１）の上記第１の切欠部（３１）への挿入方向と、第２の上記取付金具（２２）の上記第２の切欠部（３２）への挿入方向とは、逆方向であり、
上記第１の取付金具（２１）と上記第２の取付金具（２２）とは、上記被固定部材（３，４）を固定することを特徴とする断熱構造。
【請求項７】
ヒートポンプユニット（１０１）と、
上記ヒートポンプユニット（１０１）で加熱された温水を貯留する貯湯タンク（１２１）と、
上記貯湯タンク（１２１）の周囲に配置される請求項１から６の何れか一つに記載の断熱構造（８）と、
上記断熱構造（８）の周囲に配置され、上記断熱構造（８）の上記取付金具（２１，２２）で固定される被固定部材（３，４）と
を備えることを特徴とする貯湯ユニット。
【発明の詳細な説明】
【技術分野】
【０００１】
この発明は、貯湯タンクの周囲に配置される断熱構造および貯湯ユニットに関する。
【背景技術】
【０００２】
従来、断熱構造としては、特開２０１２−１０７８０９号公報（特許文献１）に記載されたものがある。この断熱構造は、貯湯タンクの周囲に配置されるものであって、断熱本体部と断熱補助部と取付金具とを備えている。断熱本体部は、径方向に貫通する貫通孔を有する。断熱補助部は、貫通孔に嵌め込まれて、この貫通孔の内面とともに取付金具を挟持する。
【０００３】
しかしながら、上記従来の断熱構造では、上記断熱本体部に加えて、上記断熱補助部を有するので、断熱材の部品数が多くなって、断熱構造の組立が面倒で、断熱構造のコストが高くなる問題があった。
【先行技術文献】
【特許文献】
【０００４】
【特許文献１】特開２０１２−１０７８０９号公報
【発明の概要】
【発明が解決しようとする課題】
【０００５】
そこで、この発明の課題は、断熱材の部品数を少なくして、組立の手間やコストを低減できる断熱構造および貯湯ユニットを提供することにある。
【課題を解決するための手段】
【０００６】
上記課題を解決するため、この発明の断熱構造は、
温水が貯留される貯湯タンクの周囲に配置される断熱構造であって、
径方向に貫通しないで取付金具挿入方向に開口する切欠部を有する断熱本体部と、
上記断熱本体部の上記切欠部に挿入されてこの切欠部に対して径方向に係止する係止面と、上記断熱本体部の周囲に配置される被固定部材を固定するための固定面とを有する取付金具と
を備えることを特徴としている。
【０００７】
ここで、上記取付金具挿入方向とは、径方向と異なる方向であって、周方向または軸方向、つまり、上方、下方、側方または斜め方向をいう。
【０００８】
この発明の断熱構造によれば、上記断熱本体部の上記切欠部は、径方向に貫通していないので、貯湯タンクの熱が外部に漏れない。このため、切欠部を塞ぐための別パーツの断熱材は不要であり、断熱材の部品数を少なくできる。したがって、断熱構造の組立の手間を省け、断熱構造のコストを低減できる。
【０００９】
また、上記取付金具は、上記断熱本体部の上記切欠部に挿入されてこの切欠部に係止されるので、取付金具を断熱本体部にインサート成型する必要がなくて、製造の手間がない。
【００１０】
また、一実施形態の断熱構造では、
上記取付金具は、上記断熱本体部の上記切欠部に挿入された状態で、上記切欠部への挿入方向に直交する断面において、鍔付き略コ字状であって、底部と、この底部の両端のそれぞれから立ち上がる壁部と、この壁部の端部から延在する外鍔部とを有し、
上記底部は、上記固定面を含み、上記外鍔部は、上記係止面を含む。
【００１１】
ここで、略コ字状とは、コ字状はもちろん、Ｕ字状も含むものとする。
【００１２】
この実施形態の断熱構造によれば、上記取付金具は、断面、鍔付き略コ字状であるので、取付金具を簡単な構成としつつも、外鍔部により切欠部に確実に係止でき、底部により被固定部材を確実に固定できる。
【００１３】
また、一実施形態の断熱構造では、上記取付金具は、上記断熱本体部の上記切欠部に挿入された状態で、この切欠部の開口端面に対向するリブ部を有する。
【００１４】
この実施形態の断熱構造によれば、上記取付金具は、リブ部を有するので、取付金具を切欠部に挿入していくと、リブ部が、切欠部の開口端面に当接して、取付金具が、必要以上に切欠部に挿入されない。このように、リブ部は、ストッパーの役目をする。
【００１５】
また、上記取付金具を、間違って逆向きに、切欠部に挿入しようとすると、リブ部が、切欠部の開口端面に当接して、取付金具が、切欠部に挿入されない。このように、リブ部は、逆取付防止の役目をする。
【００１６】
また、一実施形態の断熱構造では、上記取付金具は、上記断熱本体部の上記切欠部に挿入された状態で、上記切欠部への挿入方向に交差する押圧面を有する。
【００１７】
この実施形態の断熱構造によれば、上記取付金具は、押圧面を有するので、取付金具を切欠部に挿入する際に、作業者は、押圧面を押すことで、取付金具を容易に挿入できる。
【００１８】
また、一実施形態の断熱構造では、上記取付金具は、上記外鍔部の端部から内側に折り返されて形成される折返し部を有する。
【００１９】
この実施形態の断熱構造によれば、上記取付金具は、折返し部を有するので、外鍔部と折返し部とで幅を持たせることができる。このため、外鍔部と折返し部が同時に挿入される切欠部のスリット部分について、スリット部分の幅を大きくでき、スリット部分の形成が容易となる。
【００２０】
また、一実施形態の断熱構造では、
第１の上記切欠部と第２の上記切欠部とは、反対方向に開口し、
第１の上記取付金具の上記第１の切欠部への挿入方向と、第２の上記取付金具の上記第２の切欠部への挿入方向とは、逆方向であり、
上記第１の取付金具と上記第２の取付金具とは、上記被固定部材を固定する。
【００２１】
ここで、上記被固定部材とは、第１、第２の取付金具の両方に固定される１枚のケーシングや、第１の取付金具に固定される第１のケーシングと第２の取付金具に固定される第２のケーシングとを結合した２枚のケーシングや、第１、第２の取付金具の両方に固定される電装品箱またはステーなどをいう。
【００２２】
この実施形態の断熱構造によれば、上記第１の取付金具の挿入方向と、上記第２の取付金具の挿入方向とは、逆方向であるので、第１、第２の取付金具で被固定部材を固定し、被固定部材を何れの方向に動かしても、第１、第２の取付金具は、第１、第２の切欠部から抜けない。このように、第１、第２の取付金具の挿入状態を保持できる。
【００２３】
また、一実施形態の貯湯ユニットでは、
ヒートポンプユニットと、
上記ヒートポンプユニットで加熱された温水を貯留する貯湯タンクと、
上記貯湯タンクの周囲に配置される上記断熱構造と、
上記断熱構造の周囲に配置され、上記断熱構造の上記取付金具で固定される被固定部材と
を備える。
【００２４】
この実施形態の貯湯ユニットによれば、上記断熱構造を有するので、断熱材の部品数を少なくして、組立の手間やコストを低減できる。
【発明の効果】
【００２５】
この発明の断熱構造および貯湯ユニットによれば、上記断熱本体部の上記切欠部は、径方向に貫通していないので、断熱材の部品数を少なくして、組立の手間やコストを低減できる。
【図面の簡単な説明】
【００２６】
【図１】本発明の一実施形態の給湯ユニットを示すブロック図である。
【図２】貯湯ユニットの組立斜視図である。
【図３】貯湯ユニットの分解斜視図である。
【図４】図２のＡ−Ａ断面図である。
【図５】第１取付金具の挿入前の状態を示す斜視図である。
【図６】第１取付金具の挿入後の状態を示す挿入方向からみた側面図である。
【図７】第１取付金具の挿入後の状態を示す挿入方向からみた断面図である。
【発明を実施するための形態】
【００２７】
以下、この発明を図示の実施の形態により詳細に説明する。
【００２８】
図１は、この発明の給湯ユニットを示すブロック図である。図１に示すように、上記貯湯ユニットは、ヒートポンプユニット１０１と、このヒートポンプユニット１０１で加熱された温水を貯留する貯湯タンク１２１とを備えている。
【００２９】
上記貯湯タンク１２１は、略円柱形状であり、例えばステンレスからなる。貯湯タンク１２１内の温水は、蛇口１０３に供給されたり、暖房用循環ポンプ１２３で暖房端末１０４に供給されたりする。この暖房端末１０４に供給された温水は、暖房端末１０４で熱を放出して、再び、貯湯タンク１２１内に戻る。
【００３０】
上記ヒートポンプユニット１０１は、冷媒回路を構成する蒸発器１１１、圧縮機１１２、凝縮器１１３および膨張弁１１４を有する。凝縮器１１３には、沸き上げ用循環ポンプ１２２によって貯湯タンク１２１内の温水が供給される。これにより、上記温水は凝縮器１１３で加熱された後、再び、貯湯タンク１２１内へ戻る。このような温水の循環は、貯湯タンク１２１内の温水が沸き上がるまで継続する。
【００３１】
図２は、貯湯ユニットの組立斜視図を示し、図３は、貯湯ユニットの分解斜視図を示す。図２と図３に示すように、上記貯湯タンク１２１の周囲には、貯湯タンク１２１からの放熱を低減するための断熱構造８が配置される。この断熱構造８の周囲には、ケーシング１が配置される。
【００３２】
上記ケーシング１は、天板２、第１外板３、第２外板４、後板５および底板６を含む。第１、第２外板３，４および後板５は、底板６の周縁部上に配置され、天板２は、第１、第２外板３，４および後板５の上に配置される。なお、図３では、天板２、後板５および底板６を省略して描いている。
【００３３】
上記第１外板３は、ケーシング１の一方側の側部と、ケーシング１の前部の一方側の略半分とを構成する。上記第２外板４は、ケーシング１の他方側の側部と、ケーシング１の前部の他方側の略半分とを構成する。上記底板６には、脚部７が連結されている。
【００３４】
上記断熱構造８は、断熱本体部１０と、この断熱本体部１０に取り付けられる第１、第２取付金具２１，２２とを有する。断熱本体部１０は、上記貯湯タンク１２１の周囲を覆う円筒状に形成されている。断熱本体部１０は、例えば、発泡樹脂やグラスウールなどの樹脂材からなる。断熱本体部１０は、円筒を軸方向に沿って半分に分割された形状を有する第１本体部１１および第２本体部１２から構成される。第１本体部１１と第２本体部１２とは、左右対称に形成されている。
【００３５】
図４は、図２のＡ−Ａ断面図を示す。図３と図４に示すように、上記第１本体部１１は、第１切欠部３１を有し、上記第２本体部１２は、第２切欠部３２を有する。第１、第２切欠部３１，３２は、それぞれ、径方向に貫通しないで取付金具挿入方向に開口する。具体的に述べると、第１、第２切欠部３１，３２は、それぞれ、周方向（つまり、側方）に開口する。第１、第２切欠部３１，３２は、互いに、反対方向に開口する。
【００３６】
上記第１切欠部３１には、上記第１取付金具２１が挿入され、上記第２切欠部３２には、上記第２取付金具２２が挿入される。第１取付金具２１の第１切欠部３１への挿入方向と、第２取付金具２２の第２切欠部３２への挿入方向とは、逆方向である。
【００３７】
上記第１取付金具２１は、第１切欠部３１に係止され、第１取付金具２１の一部は、第１本体部１１の外周面から露出している。上記第１取付金具２２は、第２切欠部３２に係止され、第２取付金具２２の一部は、第２本体部１２の外周面から露出している。
【００３８】
上記第１取付金具２１は、ビス９を介して、第１外板３を固定している。上記第２取付金具２２は、ビス９を介して、第２外板４を固定している。第１外板３と第２外板４とは、ビス９を介して、結合されている。第１外板３と第２外板４とは、被固定部材の一例である。
【００３９】
図５は、第１取付金具２１の挿入前の状態を示す斜視図である。図６は、第１取付金具２１の挿入後の状態を示す挿入方向からみた側面図である。図７は、第１取付金具２１の挿入後の状態を示す挿入方向からみた断面図である。なお、図６では、わかりやすくするために、第１本体部１１をドットのハッチングにて示す。
【００４０】
図５〜図７に示すように、上記第１取付金具２１は、第１切欠部３１に挿入された状態で、第１切欠部３１への挿入方向Ｓに直交する断面において、鍔付きコ字状である。第１取付金具２１は、底部２１０と、この底部２１０の両端のそれぞれから立ち上がる壁部２１１，２１１と、この壁部２１１の端部から延在する外鍔部２１２とを有する。
【００４１】
上記第１切欠部３１は、断面矩形状の第１部分３１ａと、この第１部分３１ａに接続されるスリット状の第２部分３１ｂとを有する。この第１部分３１ａに、底部２１０および壁部２１１が挿入され、この第２部分３１ｂに、外鍔部２１２が挿入される。
【００４２】
上記底部２１０は、第１本体部１１の外周面から露出する固定面２１０ａを含む。この固定面２１０ａは、第１外板３を固定するための面である。つまり、底部２１０には、ビス孔２１０ｂが設けられ、第１外板３の貫通孔３ａに挿通されたビス９が、このビス孔２１０ｂに螺合される。
【００４３】
上記壁部２１１は、上下に２つ設けられ、底部２１０に直交するように、配置されている。上下の壁部２１１，２１１は、第１切欠部３１の第１部分３１ａの内面に当接して、第１取付金具２１の上下方向への動きを抑制する。
【００４４】
上記外鍔部２１２は、径方向外側を向く係止面２１２ａを含む。この係止面２１２ａは、第１切欠部３１に挿入されてこの第１切欠部３１に対して径方向に係止する。つまり、係止面２１２ａは、第１切欠部３１の第２部分３１ｂの内面に当接して、第１取付金具２１の径方向外側への動きを抑制する。
【００４５】
したがって、上記第１取付金具２１は、断面、鍔付きコ字状であるので、第１取付金具２１を簡単な構成としつつも、外鍔部２１２により第１切欠部３１に確実に係止でき、底部２１０により第１外板３を確実に固定できる。
【００４６】
上記第１取付金具２１は、上記第１切欠部３１に挿入された状態で、この第１切欠部３１の開口端面３１ｃに対向するリブ部２１３を有する。このリブ部２１３は、外鍔部２１２の端面に取り付けられている。リブ部２１３は、上記挿入方向Ｓに直交する。なお、リブ部２１３は、上記挿入方向Ｓに、直交していなくても交差していればよい。
【００４７】
したがって、上記第１取付金具２１は、リブ部２１３を有するので、第１取付金具２１を第１切欠部３１に挿入していくと、リブ部２１３が、第１切欠部３１の開口端面３１ｃに当接して、第１取付金具２１が、必要以上に第１切欠部３１に挿入されない。このように、リブ部２１３は、ストッパーの役目をする。また、第１取付金具２１を、間違って逆向きに、第１切欠部３１に挿入しようとすると、リブ部２１３が、第１切欠部３１の開口端面３１ｃに当接して、第１取付金具２１が、第１切欠部３１に挿入されない。このように、リブ部２１３は、逆取付防止の役目をする。
【００４８】
上記第１取付金具２１は、上記第１切欠部３１に挿入された状態で、上記挿入方向Ｓに直交する押さえ部２１４を有する。この押さえ部２１４は、底部２１０の端面に取り付けられている。押さえ部２１４が取り付けられる底部２１０の端面は、リブ部２１３が取り付けられる外鍔部２１２の端面と同じ側である。
【００４９】
上記押さえ部２１４は、上記挿入方向Ｓに直交すると共に外側を向く押圧面２１４ａを含む。なお、押圧面２１４ａは、上記挿入方向Ｓに、直交していなくても交差していればよい。
【００５０】
したがって、上記第１取付金具２１は、押圧面２１４ａを有するので、第１取付金具２１を第１切欠部３１に挿入する際に、作業者は、押圧面２１４ａを押すことで、第１取付金具２１を容易に挿入できる。
【００５１】
上記第１取付金具２１は、上記外鍔部２１２の端部から内側に折り返されて形成される折返し部２１５を有する。この折返し部２１５は、第１切欠部３１の第２部分３１ｂの内面に当接して、第１取付金具２１の径方向内側への動きを抑制する。
【００５２】
したがって、上記第１取付金具２１は、折返し部２１５を有するので、外鍔部２１２と折返し部２１５とで幅を持たせることができる。このため、外鍔部２１２と折返し部２１５が同時に挿入される上記第２部分３１ｂについて、スリット状の第２部分３１ｂの幅を大きくでき、第２部分３１ｂの形成が容易となる。
【００５３】
上記壁部２１１には、くさび部２１６が設けられている。このくさび部２１６は、第１取付金具２１を第１切欠部３１に挿入する際、第１切欠部３１の第１部分３１ａの内面に押圧されて弾性変形し、第１部分３１ａの内面に引っ掛からない。一方、くさび部２１６は、第１取付金具２１を第１切欠部３１から抜き出そうとすると、第１部分３１ａの内面に引っ掛かり、第１取付金具２１の抜き出しを防止する。
【００５４】
図５から図７では、第１取付金具２１および第１切欠部３１について説明したが、第２取付金具２２および第２切欠部３２についても、同様であるため、説明を省略する。つまり、第１、第２取付金具２１，２２は、左右対称であり、第１、第２切欠部３１，３２は、左右対称である。
【００５５】
上記構成の断熱構造８によれば、上記断熱本体部１０の上記切欠部３１，３２は、径方向に貫通していないので、貯湯タンク１２１の熱が外部に漏れない。このため、切欠部３１，３２を塞ぐための別パーツの断熱材は不要であり、断熱材の部品数を少なくできる。したがって、断熱構造８の組立の手間を省け、断熱構造８のコストを低減できる。
【００５６】
また、上記取付金具２１，２２は、上記断熱本体部１０の上記切欠部３１，３２に挿入されてこの切欠部３１，３２に係止されるので、取付金具２１，２２を断熱本体部１０にインサート成型する必要がなくて、製造の手間がない。
【００５７】
また、上記第１取付金具２１の挿入方向と、上記第２取付金具２２の挿入方向とは、逆方向であるので、第１、第２の取付金具２１，２２で被固定部材としての第１、第２外板３，４を固定し、被固定部材を何れの方向に動かしても、第１、第２取付金具２１，２２は、第１、第２切欠部３１，３２から抜けない。このように、第１、第２取付金具２１，２２の挿入状態を保持できる。
【００５８】
上記構成の貯湯ユニットによれば、上記断熱構造８を有するので、断熱材の部品数を少なくして、組立の手間やコストを低減できる。
【００５９】
なお、この発明は上述の実施形態に限定されない。例えば、上記実施形態では、断熱本体部１０は、２つに分割されていたが、一体であっても、または、３つ以上に分割されていてもよい。上記実施形態では、切欠部３１，３２および取付金具２１，２２は、それぞれ、２つあったが、１つでも、３つ以上であってもよい。
【００６０】
上記実施形態では、切欠部３１，３２の開口方向（取付金具挿入方向）は、側方であったが、径方向と異なる方向であって、周方向または軸方向、つまり、上方、下方または斜め方向であってもよい。
【００６１】
上記実施形態では、上記被固定部材として、第１取付金具２１に固定される第１外板３と第２取付金具２２に固定される第２外板４を結合したものであったが、第１、第２取付金具２１，２２の両方に固定される１枚のケーシングや、第１、第２取付金具２１，２２の両方に固定される電装品箱またはステーなどであってもよい。
【００６２】
上記実施形態では、取付金具２１，２２は、断面、鍔付きコ字状であったが、鍔付きＵ字状であってもよく、鍔付き略コ字状であればよい。
【００６３】
上記実施形態では、リブ部２１３は、外鍔部２１２に接続されていたが、壁部２１１に接続するようにしてもよい。押さえ部２１４は、底部２１０に接続されていたが、壁部２１１に接続するようにしてもよい。
【００６４】
上記実施形態では、貯湯タンク１２１は、１つであったが、２つ以上としてもよく、少なくとも一つの貯湯タンクに本発明の断熱構造８を用いればよい。
【符号の説明】
【００６５】
１  ケーシング
３  第１外板（被固定部材）
４  第２外板（被固定部材）
８  断熱構造
１０  断熱本体部
１１  第１本体部
１２  第２本体部
２１  第１取付金具
２２  第２取付金具
３１  第１切欠部
３１ａ  第１部分
３１ｂ  第２部分
３１ｃ  開口端面
３２  第２切欠部
１０１  ヒートポンプユニット
１２１  貯湯タンク
２１０  底部
２１０ａ  固定面
２１１  壁部
２１２  外鍔部
２１２ａ  係止面
２１３  リブ部
２１４  押さえ部
２１４ａ  押圧面
２１５  折返し部
２１６  くさび部
【図１】
2014062705.tif 000003
【図２】
2014062705.tif 000004
【図３】
2014062705.tif 000005
【図４】
2014062705.tif 000006
【図５】
2014062705.tif 000007
【図６】
2014062705.tif 000008
【図７】
2014062705.tif 000009